(57)【要約】【課題】イヤホンのコードを利用して通信状態の安定化を図る。【解決手段】無線通信を行うための専用内蔵アンテナ２と、アンテナ２が接続しているＲＦ回路３とが設けられ、音声を聞くためのイヤホン４の接続が可能な無線通信機１において、イヤホン４のコードは高周波的にＲＦ回路３に接続してイヤホンコードアンテナとして機能する。このイヤホンコードアンテナ８は、専用内蔵アンテナ２が動作状態であるときには共に動作状態となる。専用内蔵アンテナ２とイヤホンコードアンテナ８を両方共に動作状態に駆動させるので、例えば、専用内蔵アンテナ２とイヤホンコードアンテナ８のうちの一方の通信感度が劣化しても、他方側のアンテナによって通信感度の劣化を回避することができる。これにより、無線通信機１は、無線通信の安定化を図ることができる。【選択図】        図１
2004364149.tif 000002
【特許請求の範囲】
【請求項１】
無線通信又は放送受信を行うための専用内蔵アンテナと、その専用内蔵アンテナが接続しているＲＦ回路とが設けられ、音声を聞くためのイヤホンの接続が可能な無線通信機において、そのイヤホンのコードが接続された場合には当該コードは高周波的に前記ＲＦ回路に接続されてイヤホンコードアンテナとして機能する構成と成し、そのイヤホンコードアンテナは、イヤホンコードが接続された場合に前記専用内蔵アンテナが動作状態にあるときに共に動作状態に駆動されることを特徴とする無線通信機。
【請求項２】
ＲＦ回路には、専用内蔵アンテナの通信信号を取り込み当該通信信号に基づいて使用周波数に対する専用内蔵アンテナの通信信号の位相を変換する第１の位相器と、イヤホンコードアンテナの通信信号を取り込み当該通信信号に基づいて使用周波数に対するイヤホンコードアンテナの通信信号の位相を変換する第２の位相器と、それら位相器によりそれぞれ位相変換された２つの通信信号を合成する信号合成器とを有することを特徴とする請求項１記載の無線通信機。
【請求項３】
イヤホンコードアンテナは専用内蔵アンテナの共振周波数からずれた共振周波数を有し、当該イヤホンコードアンテナは、予め定められた通信用の周波数範囲内において専用内蔵アンテナの通信感度の低い周波数領域における通信感度を専用内蔵アンテナの通信感度よりも高くしたことを特徴とする請求項１又は請求項２記載の無線通信機。
【請求項４】
専用内蔵アンテナとイヤホンコードアンテナは互いに異なる指向性を有することを特徴とする請求項１又は請求項２記載の無線通信機。
【請求項５】
イヤホンコードアンテナを外したときに専用内蔵アンテナの感度が最良となるように第１の位相器の位相変換量が制御されていることを特徴とする請求項２記載の無線通信機。
【請求項６】
専用内蔵アンテナとイヤホンコードアンテナは高周波的に接続されて一つのアンテナとして動作する構成と成し、無線通信機に設けられるイヤホンコードの取り付け部は、専用内蔵アンテナの形成位置と無線通信機の筐体上又は回路基板に設けたグランド部を介して離間配置され、そのイヤホンコード取り付け部と専用内蔵アンテナとの間のグランド部をアンテナの一部として利用することを特徴とする請求項１記載の無線通信機。
【請求項７】
イヤホンコードアンテナをＲＦ回路に接続するのに代えて、イヤホンコードアンテナはＲＦ回路とは直接的には非接続状態と成しており、当該イヤホンコードアンテナは専用内蔵アンテナと電磁結合して専用内蔵アンテナと複共振状態を作り出す無給電アンテナ素子と成していることを特徴とする請求項１記載の無線通信機。
【請求項８】
専用内蔵アンテナは、アンテナ動作を行う放射電極が誘電体基体に形成された態様を有している表面実装型アンテナであることを特徴とする請求項１乃至請求項７の何れか１つに記載の無線通信機。
【請求項９】
無線通信機の回路基板にはグランド部が形成されており、イヤホンコードアンテナはそのグランド部を利用してアンテナ動作を行う線状逆Ｆアンテナであることを特徴とする請求項１乃至請求項５の何れか１つに記載の無線通信機。
【請求項１０】
専用内蔵アンテナとイヤホンコードアンテナは、デジタルテレビ信号受信用のアンテナとして機能することを特徴とする請求項１乃至請求項９の何れか１つに記載の無線通信機。
【発明の詳細な説明】
【０００１】
【発明の属する技術分野】
本発明は、イヤホンの接続が可能な無線通信機に関するものである。
【０００２】
【背景技術】
音声を聞くためのイヤホンの接続が可能な無線通信機において、そのイヤホンのコードをアンテナとして利用する場合がある。その場合、例えば、特許文献１に示されている構成では、図６のモデル図に示されるように、イヤホン４０が無線通信機４１に接続されると、無線通信機４１のイヤホンジャックのアンテナ切り換え部４２の切り換え動作によって、無線通信機４１に設けられている無線通信専用のアンテナ４３はＲＦ回路４４と切り離され休止状態となり、イヤホン４０のコード４５が高周波的に無線通信用のＲＦ回路４４に接続されてアンテナとして動作状態となる。
【０００３】
このため、イヤホン４０が無線通信機４１に接続されているときには、例えば、そのイヤホンコード４５により受信された信号がアンテナ切り換え部４２を介してＲＦ回路４４に入力する。このＲＦ回路４４は、例えば、その受信信号を検波し当該検波により得られた信号の周波数を設定の周波数に下げて、例えば無線通信機４１の制御装置（図示せず）に向けて出力する。
【０００４】
イヤホン４０が無線通信機４１から外されると、アンテナ切り換え部４２の切り換え動作によって、無線通信専用アンテナ４３がアンテナ切り換え部４２を介してＲＦ回路４４に接続して動作状態となる。この場合には、無線通信専用アンテナ４３の受信信号がＲＦ回路４４に入力する。
【０００５】
なお、イヤホン４０が無線通信機４１に接続されているときには、そのイヤホンコード４５は、高周波的にＲＦ回路４４に接続されると共に、低周波的には無線通信機４１のオーディオ制御部（図示せず）に接続されており、そのオーディオ制御部から低周波（例えばｋＨｚオーダーの周波数）の音声信号がイヤホン４０に出力され、当該イヤホン４０から音声を聞くことができる。
【０００６】
【特許文献１】
特開平９−１０７５７２号公報
【特許文献２】
特開平７−３０７６９４号公報
【０００７】
【発明が解決しようとする課題】
イヤホンコード４５はフレキシブルな線であるために様々な形に変形し、これにより、イヤホンコード４５における電流分布が変化する。このため、イヤホンコード４５から成るアンテナの電気的特性は変化し易くて、安定した通信を行うことが難しいという問題が生じる。また、無線通信線用アンテナ４３のみでは、無線通信線用アンテナ４３の形状が小型になった場合に感度が好ましい状態ではないという問題が生じる。
【０００８】
本発明は上記課題を解決するために成されたものであり、その目的は、イヤホンのコードをアンテナとして利用しながら安定した無線通信を行うことを可能にする無線通信機を提供することにある。
【０００９】
【課題を解決するための手段】
上記目的を達成するために、この発明は次に示す構成をもって前記課題を解決するための手段としている。すなわち、この発明は、無線通信又は放送受信を行うための専用内蔵アンテナと、その専用内蔵アンテナが接続しているＲＦ回路とが設けられ、音声を聞くためのイヤホンの接続が可能な無線通信機において、そのイヤホンのコードが接続された場合には当該コードは高周波的に前記ＲＦ回路に接続されてイヤホンコードアンテナとして機能する構成と成し、そのイヤホンコードアンテナは、イヤホンコードが接続された場合に前記専用内蔵アンテナが動作状態にあるときに共に動作状態に駆動されることを特徴としている。
【００１０】
【発明の実施の形態】
以下に、この発明に係る実施形態例を図面に基づいて説明する。
【００１１】
図１には第１実施形態例の無線通信機における特有な構成部分が簡略化されて示されている。この無線通信機１は、専用内蔵アンテナ２と、無線通信用のＲＦ回路３とを有し、当該無線通信機１にはイヤホン４が接続可能となっている。この第１実施形態例では、専用内蔵アンテナ２は、誘電体又は磁性体の基体にアンテナ動作を行う放射電極が形成された態様と成して、無線通信機１の回路基板に表面実装される表面実装型アンテナである。この専用内蔵アンテナ２の放射電極は、無線通信機１の回路基板のグランド部を利用してアンテナ動作を行うλ／４タイプの放射電極と成している。なお、専用内蔵アンテナ２を構成する基体や、λ／４タイプの放射電極には、それぞれ、様々な形態があり、ここでは、何れの形態を採用してもよく、それらの説明は省略する。
【００１２】
イヤホン４は、そのコード５の基端側のプラグ６が無線通信機１のプラグ受け部（イヤホンコード取り付け部）７に差し込まれることにより、低周波的にはオーディオ制御部１０に接続され、当該オーディオ制御部１０から音声信号（低周波の信号）がイヤホン４に供給可能な状態となる。また、イヤホン４のコード５は、プラグ６を介して高周波的にＲＦ回路３に接続されてアンテナとして機能する構成と成している。この第１実施形態例では、イヤホンコード５には高周波チョークコイル１８が介設されている。これにより、プラグ６から高周波チョークコイル１８までのイヤホンコード部分が、ＲＦ回路３と高周波的に接続されることとなり、そのプラグ６から高周波チョークコイル１８までのイヤホンコード部分がイヤホンコードアンテナ８として機能する。
【００１３】
その高周波チョークコイル１８の介設位置は、この第１実施形態例では、イヤホンコード５の基端側のプラグ６からの距離Ｌｅが、イヤホンコードアンテナ８の予め定めた共振周波数ｆｅの電波の波長λｅの（（１／４）＋ｎ）倍の距離（Ｌｅ＝（（１／４）＋ｎ）・λｅ）又はその近傍となる位置となっている。なお、ｎは０以上の整数である。
【００１４】
そのような位置に高周波チョークコイル１８を設けることによって、イヤホンコードアンテナ８は、無線通信機１の回路基板のグランド部を利用して共振周波数ｆｅでもってアンテナ動作を行う線状逆Ｆアンテナとして動作する。この場合、イヤホンコードアンテナ８だけでなく、回路基板のグランド部をも利用して無線通信を行うので、電波を放射する面積が増加してイヤホンコードアンテナ８のアンテナ利得を向上させることができる。
【００１５】
この第１実施形態例では、イヤホン４のプラグ６が無線通信機１のプラグ受け部７に接続されているときには、イヤホンコードアンテナ８は常にＲＦ回路３に高周波的に接続されて動作状態となっており、このイヤホンコードアンテナ８と、専用内蔵アンテナ２とは両方共に動作状態に駆動される。
【００１６】
ＲＦ回路３は、専用内蔵アンテナ用位相器（第１の位相器）１３と、イヤホンコードアンテナ用位相器（第２の位相器）１４と、信号合成器１５と、受信部１６とを有して構成されている。
【００１７】
専用内蔵アンテナ用位相器１３は、専用内蔵アンテナ２により信号が受信されると、その受信信号を取り込む。そして、専用内蔵アンテナ用位相器１３は、受信信号の位相を変換する。なお、専用内蔵アンテナ用位相器１３の位相変換量は、イヤホンコードアンテナ８が外されているときに専用内蔵アンテナ２の感度が最良となるように設定されている。
【００１８】
また、イヤホンコードアンテナ用位相器１４は、イヤホンコードアンテナ８により信号が受信されると、その受信信号を取り込んで当該信号の位相を変換する。イヤホンコードアンテナ用位相器１４の位相変換量は、当該位相器１４による位相変換後の信号の位相が信号合成器１５において専用内蔵アンテナ用位相器１３で変換された位相変換後の信号と同相になるように設定されている。
【００１９】
信号合成器１５は、その専用内蔵アンテナ用位相器１３により位相変換された信号と、イヤホンコードアンテナ用位相器１４により位相変換された信号とを合成する。この信号合成器１５によって合成された受信信号が信号合成器１５から受信部１６に供給される。受信部１６は、その供給された受信信号の中から予め定められた周波数帯の信号を取り出し、当該信号の周波数変換を行い周波数を下げて設定の周波数を持つＩＦ信号を作り出し、このＩＦ信号を例えば無線通信機１の制御装置（図示せず）に向けて出力する。
【００２０】
ところで、この第１実施形態例では、専用内蔵アンテナ２およびイヤホンコードアンテナ８のリターンロスの周波数特性は、例えば、図２（ａ）に示されるような場合と、図２（ｂ）に示されるような場合とのうちの予め選択した一方となっている。なお、図２（ａ）、（ｂ）において、鎖線Ａが専用内蔵アンテナ２に関するものであり、点線Ｂがイヤホンコードアンテナ８に関するものである。
【００２１】
図２（ａ）の場合においては、専用内蔵アンテナ２は予め定められた通信用の周波数範囲Ｈ内の共振周波数ｆａを持ち、この専用内蔵アンテナ２の帯域幅は、その通信用の周波数範囲Ｈの帯域幅以上となっている。このため、イヤホン４が無線通信機１に接続されていない場合であっても、専用内蔵アンテナ２だけで通信用の周波数範囲Ｈ内の信号の通信を行うことができる。
【００２２】
しかし、専用内蔵アンテナ２はそのように通信用の周波数範囲Ｈの全領域に渡って信号通信を行うことができるものであるが、当然に通信用の周波数範囲Ｈ内において通信感度が低い領域が生じてしまう。このことを考慮し、図２（ａ）に示す例では、イヤホンコードアンテナ８は、専用内蔵アンテナ２の共振周波数ｆａからずれた共振周波数ｆｅを持つ。その共振周波数ｆｅは、通信用の周波数範囲Ｈにおいて専用内蔵アンテナ２の通信感度が低い周波数領域の周波数であり、イヤホンコードアンテナ８は、その共振周波数ｆｅおよびその近傍の周波数領域において、通信感度が専用内蔵アンテナ２の通信感度よりも高くなるように形成されている。
【００２３】
この場合、無線通信機１全体としてのリターンロスの周波数特性は、図２（ａ）の実線Ｃに示されるような特性となる。つまり、イヤホン４が無線通信機１に接続されてイヤホンコードアンテナ８と専用内蔵アンテナ２の両方が動作状態となることによって、通信用の周波数範囲Ｈにおいて、専用内蔵アンテナ２だけでは通信感度がやや低下してしまう周波数領域での通信感度をイヤホンコードアンテナ８によって高めることができて無線通信機１全体の通信状態を向上させることができる。
【００２４】
図２（ａ）のリターンロスの周波数特性を専用内蔵アンテナ２とイヤホンコードアンテナ８にそれぞれ持たせることは次に示すような場合に有効である。例えば、専用内蔵アンテナ２の小型化などに起因して放射電極の電気長が不足して、専用内蔵アンテナ２の共振周波数ｆａを低下する方向に調整することが難しく、これに起因して、設定の通信用の周波数範囲Ｈにおける低周波側での専用内蔵アンテナ２の通信感度が高周波側に比べて低くなってしまう場合がある。このような場合に、その専用内蔵アンテナ２の低周波側の通信感度が低い周波数領域の通信感度をイヤホンコードアンテナ８によって補うことができるので、このような場合に図２（ａ）のリターンロスの周波数特性を専用内蔵アンテナ２とイヤホンコードアンテナ８にそれぞれ持たせることは有効である。
【００２５】
また、例えば、デジタルテレビ信号の通信に使用される周波数範囲（例えば４７０ＭＨｚ〜７７０ＭＨｚ）のように通信用の周波数範囲が広い場合には、その広い周波数範囲の中で専用内蔵アンテナ２の通信感度の高低差が大きくなる。このような場合に、専用内蔵アンテナ２の通信感度が低くなってしまう周波数領域の通信感度を改善すべくイヤホンコードアンテナ８を形成することによって、広い周波数範囲内における通信感度の高低差を小さくできる。このことから、このような場合にも、図２（ａ）のリターンロスの周波数特性を専用内蔵アンテナ２とイヤホンコードアンテナ８にそれぞれ持たせることは有効である。なお、図２（ａ）の例では、イヤホンコードアンテナ８の共振周波数ｆｅは専用内蔵アンテナ２の共振周波数ｆａよりも低い周波数であったが、共振周波数ｆａよりも高周波側の周波数領域における専用内蔵アンテナ２の通信感度が低くなる場合には、イヤホンコードアンテナ８の共振周波数ｆｅは専用内蔵アンテナ２の共振周波数ｆａよりも高周波側の周波数としてもよい。
【００２６】
図２（ｂ）の場合には、専用内蔵アンテナ２とイヤホンコードアンテナ８のリターンロスの周波数特性はほぼ同様である。この場合には、例えば、専用内蔵アンテナ２とイヤホンコードアンテナ８の指向性を異ならせることが好ましい。例えば、専用内蔵アンテナ２とイヤホンコードアンテナ８には、それぞれ、互いのヌル点を補うような指向性を持たせることが好ましい。これにより、無線通信機１は、ダイバーシチ制御を行っていると等価な状態となり、電波通信方向にヌル点が無い安定した通信が可能となる。
【００２７】
この第１実施形態例では、専用内蔵アンテナ２とイヤホンコードアンテナ８にそれぞれ図２（ａ）や（ｂ）に示すようなリターンロスの周波数特性を持たせることにより、上記したような効果を得ることができる上に、専用内蔵アンテナ２とイヤホンコードアンテナ８を両方共に動作状態として、専用内蔵アンテナ２の通信信号と、イヤホンコードアンテナ８の通信信号とを合成する構成としたため、無線通信機１の良好な通信状態を安定化することが容易となる。例えば、イヤホンコードアンテナ８は、コード変形により電気的特性が変化し易く、コード変形によって通信感度が劣化し易い。これに対して、専用内蔵アンテナ２は、放射電極が基体に形成されて成る表面実装型アンテナであり、放射電極全体が基体に支持されているので、放射電極の変形は無く電気的特性は安定したものである。このため、例えば、イヤホンコードアンテナ８の変形に起因してイヤホンコードアンテナ８の通信感度が専用内蔵アンテナ２よりも劣化してしまっても、その場合には、専用内蔵アンテナ２の発信信号があるので、通信感度の劣化を抑制することができる。
【００２８】
以下に、第２実施形態例を説明する。なお、この第２実施形態例の説明において、第１実施形態例と同一構成部分には同一符号を付し、その共通部分の重複説明は省略する。
【００２９】
上述した第１実施形態例では、専用内蔵アンテナ２とイヤホンコードアンテナ８をそれぞれ別々のアンテナとして動作させたのに対して、この第２実施形態例では、イヤホンコードアンテナ８は図３（ａ）に示されるような無線通信機１の回路基板２０のグランド部Ｇを介して専用内蔵アンテナ２と高周波的に接続されて専用内蔵アンテナ２を補佐するアンテナとして機能し、当該イヤホンコードアンテナ８と専用内蔵アンテナ２は一つのアンテナとして動作する。つまり、イヤホンコードアンテナ８は専用内蔵アンテナ２を介してＲＦ回路３に間接的に接続され、当該イヤホンコードアンテナ８は専用内蔵アンテナ２と共に動作状態に駆動される。
【００３０】
この第２実施形態例では、専用内蔵アンテナ２とイヤホンコードアンテナ８が一つのアンテナとして機能するために、ＲＦ回路３には、第１実施形態例に示した専用内蔵アンテナ用位相器１３とイヤホンコードアンテナ用位相器１４と信号合成器１５は設けられない。例えば、無線通信機１が信号受信機能を持つ場合には、ＲＦ回路３は、専用内蔵アンテナ２およびイヤホンコードアンテナ８から成るアンテナの受信信号を検波する回路部と、その検波後の信号の周波数を設定の周波数に低下させる回路部とを有する。また、無線通信機１が信号送信機能を持つ場合には、ＲＦ回路３は、例えば制御装置側から受け取った送信用の信号の周波数を無線用の周波数に高める回路部と、その周波数変換後の信号を搬送波に乗せる回路部とを有する。
【００３１】
この第２実施形態例では、専用内蔵アンテナ２は、第１実施形態例と同様にλ／４タイプの表面実装型アンテナであり、放射電極だけでなく、無線通信機１の回路基板２０のグランド部Ｇをも利用して信号（電波）の通信を行うものである。例えば、回路基板２０は様々な条件によって大きさが規制されているために、回路基板２０（グランド部Ｇ）の長さＬｇの短さに起因して専用内蔵アンテナ２の共振周波数ｆａが、通信に使用する例えば図３（ｂ）に示す周波数範囲Ｈにおける高周波側寄りにしか調整することができず、これにより、その通信用の周波数範囲Ｈにおける低周波側の通信感度が劣化し易いという問題発生が生じる。
【００３２】
このような場合に、イヤホンコードアンテナ８を利用することによって、通信用の周波数範囲Ｈにおける低周波側の共振周波数ｆｅを無線通信機全体のアンテナに持たせることができる。例えば、イヤホンコード５は、一般的に、回路基板２０の長手方向の長さＬｇよりも長いことから、そのイヤホンコード５には、プラグ６から、回路基板２０の長手方向の長さＬｇよりも長い距離Ｌｅだけ離れた位置に高周波チョークコイル１８を設けて、プラグ６から高周波チョークコイル１８までのコード部分をイヤホンコードアンテナ８として機能させる。ここでは、その距離Ｌｅは、周波数ｆｅを持つ電波の波長λｅの（（１／４）＋ｎ）倍の長さ又はその近傍の長さとする。なお、ｎは０以上の整数である。
【００３３】
イヤホンコードアンテナ８が無線通信機１に接続されておらず専用内蔵アンテナ２のみの場合には、無線通信機１のリターンロスの周波数特性は図３（ｂ）の実線Ａに示すような特性であるのに対して、イヤホンコードアンテナ８が無線通信機１に接続されて専用内蔵アンテナ２の補佐用のアンテナとして機能することによって、専用内蔵アンテナ２は、共振周波数ｆａだけでなく、共振周波数ｆｅをも持つことができて、無線通信機１のリターンロスの周波数特性は図３（ｃ）の実線Ａ’に示すような特性となる。換言すれば、イヤホンコードアンテナ８と専用内蔵アンテナ２が非対称ダイポールアンテナのようになり、通信用に設定された周波数範囲Ｈにおける低周波側の通信状態を改善することができる。つまり、イヤホンコードアンテナ８を利用することで、回路基板２０の小型化を促進させながら、設定の通信用の周波数範囲内の信号通信を良好に行わせることが可能となる。
【００３４】
なお、図３（ａ）の例では、専用内蔵アンテナ２と、プラブ受け部７とは近接配置されていたが、例えば、図４に示されるように、専用内蔵アンテナ２とプラブ受け部７が回路基板２０上に離間配置されている構成としてもよい。この場合にも、専用内蔵アンテナ２とイヤホンコードアンテナ８は、回路基板２０のグランド部Ｇを介して高周波的に接続される状態となる。このため、専用内蔵アンテナ２は、当該専用内蔵アンテナ２からグランド部Ｇを介しイヤホンコード５の高周波チョークコイル１８に至るまでの部分を利用して共振する。このような場合に、前記したように通信用の周波数範囲Ｈにおける低周波側の通信感度を改善するために、通信用の周波数範囲Ｈにおける低周波側の周波数を共振周波数ｆｅとして専用内蔵アンテナ２に持たせる場合には、回路基板２０のグランド部Ｇが大きく関与することから、回路基板２０の長手方向の長さＬｇと、イヤホンコードアンテナ８の長さＬｅとを加算した長さＬｃが、共振周波数ｆｅの電波の波長λｅの（（１／４）＋ｎ）倍の長さ又はその近傍の長さとなるように高周波チョークコイル１８の配設位置を設定する。なお、ｎは０以上の整数である。
【００３５】
換言すれば、イヤホンコードアンテナ８の長さ（プラグ６から高周波チョークコイル１８までのコード部分の長さ）Ｌｅは、共振周波数ｆｅの電波の波長λｅの（（１／４）＋ｎ）倍の長さ又はその近傍の長さから、回路基板２０の長手方向の長さＬｇを差し引いて得られる値となっている。
【００３６】
この場合、イヤホンコードアンテナ８の長さＬｅは、図３（ａ）に示す場合よりも短くて済むので、コード変形に起因した電気的特性の変動を抑制することができる。これにより、イヤホンコードアンテナ８を利用しても、イヤホンコードアンテナ８の変形の悪影響が少なくて、より安定した通信を実現することができる。
【００３７】
また、この第２実施形態例では、回路基板２０のグランド部Ｇを介して専用内蔵アンテナ２とイヤホンコードアンテナ８が高周波的に接続されていたが、回路基板２０のグランド部Ｇに代えて、無線通信機１の筐体（図示せず）に設けたグランド部を介して専用内蔵アンテナ２とイヤホンコードアンテナ８が高周波的に接続されていてもよい。この場合にも、この第２実施形態例と同様のアンテナ動作が行われる。
【００３８】
以下に、第３実施形態例を説明する。なお、この第３実施形態例の説明において、第１や第２の各実施形態例と同一構成部分には同一符号を付し、その共通部分の重複説明は省略する。
【００３９】
前記第１や第２の各実施形態例では、イヤホンコードアンテナ８はＲＦ回路３と高周波的に接続されていたが、この第３実施形態例では、イヤホンコードアンテナ８は、ＲＦ回路３と非接続状態な無給電アンテナ素子と成し、専用内蔵アンテナ２と電磁結合して専用内蔵アンテナ２と複共振状態を作り出す構成となっている。
【００４０】
例えば、図５に示す共振周波数ｆａを持つように専用内蔵アンテナ２を形成し、また、図５に示す共振周波数ｆｅを持つようにイヤホンコードアンテナ８を形成することによって、無線通信機１は、専用内蔵アンテナ２とイヤホンコードアンテナ８の複共振によって図５の実線Ｃに示されるようなリターンロスの周波数特性を持つことができる。これにより、専用内蔵アンテナ２だけの場合（図５鎖線Ａ参照）よりも、帯域幅を格段に広げることができる。これにより、例えば、デジタルテレビ信号通信用の広帯域な周波数範囲の全領域に渡って満足な通信ができる無線通信機１を得ることができる。また、無線通信機１の通信感度を高めることができる。
【００４１】
なお、この第３実施形態例では、専用内蔵アンテナ２だけがＲＦ回路３に高周波的に接続されているので、第２実施形態例と同様に、ＲＦ回路３には、第１実施形態例に示した専用内蔵アンテナ用位相器１３とイヤホンコードアンテナ用位相器１４と信号合成器１５は設けられない。例えば、無線通信機１が信号受信機能を持つ場合には、ＲＦ回路３は、専用内蔵アンテナ２およびイヤホンコードアンテナ８から成る複共振タイプのアンテナの受信信号を検波する回路部と、その検波後の信号の周波数を設定の周波数に低下させる回路部とを有する。また、無線通信機１が信号送信機能を持つ場合には、ＲＦ回路３は、例えば制御装置側から受け取った送信用の信号の周波数を無線用の周波数に高める回路部と、その周波数変換後の信号を搬送波に乗せる回路部とを有する。
【００４２】
なお、この発明は第１〜第３の各実施形態例に限定されるものではなく、様々な実施の形態を採り得る。例えば、第１〜第３の各実施形態例では、専用内蔵アンテナ２は、基体に放射電極が形成された表面実装型アンテナであったが、例えば、専用内蔵アンテナ２は、回路基板２０に直接的に放射電極（例えば導体パターン）が形成されている構成としてもよい。また、専用内蔵アンテナ２は、金属板から成る放射電極を有して構成されていてもよい。
【００４３】
また、この発明は、デジタルテレビ信号受信機能（放送受信機能）を備えた無線通信機に限定されるものではなく、イヤホンの接続が可能であれば、例えば携帯型電話機などの他の構成の無線通信機にも適用することができるものである。また、この発明は、回路基板が１枚だけの無線通信機だけでなく、回路基板を複数枚有する例えば折り畳み式の無線通信機にも適用することができる。複数の回路基板を有する場合には、ＲＦ回路３の集約化や、専用内蔵アンテナ２とイヤホンコードアンテナ８間の高周波的な接続などを考慮して、専用内蔵アンテナ２とイヤホンコードアンテナ８は同じ回路基板に設けることが好ましい。
【００４４】
【発明の効果】
この発明によれば、イヤホンのコードをアンテナとして利用する構成と成し、そのイヤホンコードアンテナと、専用内蔵アンテナとは共に動作状態とする構成とした。このようにイヤホンコードアンテナと専用内蔵アンテナが共に動作状態であるときに、それらイヤホンコードアンテナの通信信号と、専用内蔵アンテナの通信信号とを合成する構成を備えることによって、良好な通信感度を維持することができる。例えば、イヤホンコードアンテナはフレキシブルな線により形成されているために、コードが変形し易く、そのコード変形に起因して通信感度が悪化してしまうことがあるが、イヤホンコードアンテナの通信感度が低下してしまっても、専用内蔵アンテナの通信信号を有することにより、無線通信機の通信感度の悪化を抑えることができる。
【００４５】
また、イヤホンコードアンテナの通信信号と専用内蔵アンテナの通信信号とを合成する構成を備えると共に、イヤホンコードアンテナは、予め定められた通信用の周波数範囲において専用内蔵アンテナの通信感度が低い周波数領域におけるイヤホンコードアンテナの通信感度を専用内蔵アンテナの通信感度よりも高くした構成を備えたものにあっては、専用内蔵アンテナの通信感度が低下する周波数領域の通信感度をイヤホンコードアンテナによって高めることができるので、設定の通信用の周波数範囲における無線通信機の通信状態の向上を図ることが容易となる。
【００４６】
さらに、イヤホンコードアンテナの通信信号と専用内蔵アンテナの通信信号とを合成する構成を備えると共に、専用内蔵アンテナとイヤホンコードアンテナが互いに異なる指向性を有する構成を備えたものにあっては、見かけ上、無線通信機はダイバーシチ制御を行っているように見え、電波通信方向にヌル点を無くした安定した無線通信を行うことができる。
【００４７】
専用内蔵アンテナとイヤホンコードアンテナは高周波的に接続されて一つのアンテナとして動作する構成を備えたものにあっては、イヤホンコードアンテナを利用することによって、専用内蔵アンテナの電気長を見かけ上長くすることができるので、専用内蔵アンテナの小型化およびそれを備えた無線通信機の小型化を図りながら、設定の通信用の周波数範囲内の無線通信を良好に行うことが可能となる。
【００４８】
専用内蔵アンテナとイヤホンコードアンテナが一つのアンテナとして動作する構成とする場合に、イヤホンコードの取り付け部が、専用内蔵アンテナの形成位置とグランド部を介して離間配置され、そのイヤホンコード取り付け部と専用内蔵アンテナ間のグランド部がアンテナの一部として利用されるものにあっては、専用内蔵アンテナは、グランド部からイヤホンコードアンテナまでを利用して共振動作を行うので、そのグランド部の長さに応じてイヤホンコードアンテナの長さを短くすることができる。このため、イヤホンコードアンテナの変形の悪影響を受け難くなり、無線通信機は、イヤホンコードアンテナを利用して、より一層安定した通信を行うことが可能となる。
【００４９】
放射電極が基体に形成されて成る態様の専用内蔵アンテナを設ける構成のものにあっては、その専用内蔵アンテナは、放射電極全体が基体に支持されているので放射電極の変形が回避されて電気的特性の変動が小さいものである。このため、イヤホンコードアンテナの変形に因りイヤホンコードアンテナの電気的特性が変化しても、専用内蔵アンテナは電気的特性の変動が小さいので、無線通信機全体としては、電気的特性の変動を抑制することができる。
【００５０】
イヤホンコードアンテナと専用内蔵アンテナが電磁結合して複共振状態を作り出す構成のものにあっては、そのイヤホンコードアンテナと専用内蔵アンテナの複共振によって、無線通信機の通信可能な周波数範囲の広帯域化および通信感度の向上を図ることができる。
【００５１】
この発明では、専用内蔵アンテナとイヤホンコードアンテナを両方共に動作状態として使用することにより、通信可能な周波数範囲の広帯域化を促進させることができるものである。このことから、この発明を、広帯域な通信が要求されるデジタルテレビ信号受信用の無線通信機に適用することにより、満足のいくデジタルテレビ信号の受信を行うことが可能となる。
【図面の簡単な説明】
【図１】第１実施形態例の無線通信機の特有な構成部分を説明するための図である。
【図２】第１実施形態例の無線通信機におけるリターンロスの周波数特性の例を説明するためのグラフである。
【図３】第２実施形態例を説明するためのモデル図である。
【図４】第２実施形態例の無線通信機におけるリターンロスの周波数特性の例を説明するためのグラフである。
【図５】第３実施形態例の無線通信機におけるリターンロスの周波数特性の例を説明するためのグラフである。
【図６】イヤホンをアンテナとして利用した無線通信機の一例を説明するための図である。
【符号の説明】
１  無線通信機
２  専用内蔵アンテナ
３  ＲＦ回路
４  イヤホン
８  イヤホンコードアンテナ
１３  専用内蔵アンテナ用位相器
１４  イヤホンコードアンテナ用位相器
１５  信号合成器
１８  高周波チョークコイル
【図１】
2004364149.tif 000003
【図２】
2004364149.tif 000004
【図３】
2004364149.tif 000005
【図４】
2004364149.tif 000006
【図５】
2004364149.tif 000007
【図６】
2004364149.tif 000008